(57)【特許請求の範囲】
【請求項１】
ＬＡＮを含むネットワークに接続され該ネットワークを介して互いに任意の第１音声情報を送受信すると共に受信した該第１音声情報を出力可能なスピーカを備えた複数の端末装置と、
上記複数の端末装置のそれぞれに設けられ外部から緊急指令の入力を受け付ける緊急指令入力手段と、
いずれかの上記端末装置に設けられた上記緊急指令入力手段に上記緊急指令が入力されたとき該いずれかの端末装置に対応する固有の第２音声情報を他の上記端末装置の一部または全部に上記ネットワークを介して送信する第２音声情報送信手段と、
上記複数の端末装置のそれぞれに設けられ上記ネットワークを介して上記第２音声情報が送信されてきたとき該第２音声情報を受信して上記スピーカから出力させる第２音声情報受信手段と、
を具備し、
上記複数の端末装置のそれぞれは、上記第１音声情報の送信側となるときに該第１音声情報が入力されるマイクロホンと該第１音声情報の受信側となるときに該第１音声情報を出力する受話用スピーカとを有するハンドセットを備えると共に、該受話用スピーカとは別に上記スピーカを備える、
緊急放送システム。
【請求項２】
上記第２音声情報は対応する上記端末装置の設置場所に関する情報を含む、請求項１に記載の緊急放送システム。
【請求項３】
上記第２音声情報送信手段は上記複数の端末装置のそれぞれに設けられている、請求項１または２に記載の緊急放送システム。
【請求項４】
上記第２音声情報送信手段は、上記第２音声情報が記憶された音声情報記憶手段と、上記緊急指令入力手段に上記緊急指令が入力されたとき該音声情報記憶手段から該第２音声情報を読み出す読出手段と、該読出手段によって読み出された該第２音声情報を上記他の端末装置の一部または全部に送信する送信実行手段と、を備える、請求項３に記載の緊急放送システム。
【請求項５】
上記第２音声情報送信手段は、上記第２音声情報の送信先となる上記他の端末装置を指定する送信先情報が記憶された送信先情報記憶手段を備え、該送信先情報によって指定された該他の端末装置に該第２音声情報を送信する、請求項３または４に記載の緊急放送システム。
【請求項６】
ＬＡＮを含むネットワークに複数接続され該ネットワークを介して互いに任意の第１音声情報を送受信すると共に受信した該第１音声情報を出力可能なスピーカを備えた端末装置であって、
外部から緊急指令の入力を受け付ける緊急指令入力手段と、
上記緊急指令入力手段に上記緊急指令が入力されたとき固有の第２音声情報を他の端末装置の一部または全部に上記ネットワークを介して送信する第２音声情報送信手段と、
上記ネットワークを介して上記他の端末装置から上記第２音声情報が送信されてきたとき該第２音声情報を受信して上記スピーカから出力させる第２音声情報受信手段と、
を具備し、
上記第１音声情報の送信側となるときに該第１音声情報が入力されるマイクロホンと該第１音声情報の受信側となるときに該第１音声情報を出力する受話用スピーカとを有するハンドセットをさらに備えると共に、該受話用スピーカとは別に上記スピーカを備える、
端末装置。
【請求項７】
上記第２音声情報には自身の設置場所に関する情報が含まれている、請求項６に記載の端末装置。
【請求項８】
上記第２音声情報送信手段は、上記第２音声情報が記憶された音声情報記憶手段と、上記緊急指令入力手段に上記緊急指令が入力されたとき該音声情報記憶手段から該第２音声情報を読み出す読出手段と、該読出手段によって読み出された該第２音声情報を上記他の端末装置の一部または全部に送信する送信実行手段と、を備える、請求項６または７に記載の端末装置。
【請求項９】
上記第２音声情報送信手段は、上記第２音声情報の送信先となる上記他の端末装置を指定する送信先情報が記憶された送信先情報記憶手段を備え、該送信先情報によって指定された該他の端末装置に該第２音声情報を送信する、請求項６ないし８のいずれかに記載の端末装置。
【発明の詳細な説明】
【技術分野】
【０００１】
本発明は、緊急放送システムおよびその端末装置に関し、特にネットワークを介して各端末装置間で音声情報の送受信が可能な通話システムに適用される、緊急放送システムおよび端末装置に関する。
【背景技術】
【０００２】
この種の緊急放送システムとして、従来、例えば非特許文献１に開示された学校用のものがある。この従来技術によれば、職員室や各教室等の適宜の場所に、電話機型のＩＰ（Internet Protocol）端末装置が設置される。これらのＩＰ端末装置は、校内に敷設されたＬＡＮ（Local Area Network）に接続されており、この校内ＬＡＮを介して互いに音声情報の送受信が可能であり、つまり一般の電話機と同様に通話が可能である。
【０００３】
さらに、それぞれのＩＰ端末装置には、外付けの緊急ボタンが付属されている。そして、不審者が侵入する等の緊急事態が発生したときに、この緊急ボタンが押下されると、ボタン押下信号が、校内ＬＡＮに接続された校内放送連携ボックスに送信される。校内放送連携ボックスは、これに応答して校内放送設備を起動させて、緊急事態が発生したことを通報する所定の音声を全校放送で流す。
【０００４】
【非特許文献１】株式会社アルテル製「キッズ救急（キッズ救急フォン／校内放送連携ボックス）」、［online］、［２００７年６月１８日検索］、インターネット＜URL;http://www.altel.co.jp/products/kids.html＞
【発明の開示】
【発明が解決しようとする課題】
【０００５】
しかし、上述の従来技術では、いずれの場所に設置された緊急ボタンが押下されても、同じ内容の（つまり１種類の）音声しか流れない。これでは、いずれの場所に設置された緊急ボタンが押下されたのか、言い換えればいずれの場所で緊急事態が発生したのか、が分からず、児童を安全に避難させる等の適切な処置を講ずることができない。
【０００６】
そこで、本発明は、緊急事態が発生したときにその場所等を表す固有の情報を知らせることによって、適切な処置が講ぜられるように支援することができる緊急放送システムおよびその端末装置を提供することを、目的とする。
【課題を解決するための手段】
【０００７】
この目的を達成するために、本発明のうち緊急放送システムに関する第１発明は、ネットワークと、このネットワークに接続された複数の端末装置と、を具備する。各端末装置は、ネットワークを介して互いに任意の第１音声情報を送受信すると共に、受信した第１音声情報を出力可能なスピーカを備えている。さらに、それぞれの端末装置は、外部から緊急指令の入力を受け付ける緊急指令入力手段を備えている。そして、いずれかの端末装置に設けられた緊急指令入力手段に緊急指令が入力されたとき、当該いずれかの端末装置に対応する固有の第２音声情報を他の端末装置の一部または全部にネットワークを介して送信する第２音声情報送信手段を、本第１発明の緊急放送システムは備えている。また、それぞれの端末装置は、ネットワークを介して第２音声情報が送信されてきたとき、これを受信してスピーカから出力させる第２音声情報受信手段をも、備えている。
【０００８】
このように構成された本第１発明の緊急放送システムによれば、平常時は、各端末装置間でネットワークを介して任意の第１音声情報の送受信が可能であり、つまり一般の電話機と同様に通話が可能である。また、それぞれの端末装置には、第１音声情報を出力可能なスピーカが設けられているので、このスピーカを通して例えばハンズフリー通話や呼び出し放送（いわゆるページング呼び出し）が可能である。さらに、それぞれの端末装置には、緊急事態が発生したときに、外部から緊急指令の入力を受け付ける緊急指令入力手段が設けられている。ここで、例えば、いずれかの端末装置に設けられている緊急指令入力手段に緊急指令が入力される、とすると、第２音声情報送信手段が、その端末装置に対応する固有の第２音声情報を、他の端末装置の一部または全部にネットワークを介して送信する。その一方で、それぞれの端末装置には、ネットワークを介して第２音声情報が送信されてきたときに、これを受信してスピーカから出力させる第２音声情報受信手段が設けられている。従って、他の端末装置のスピーカからは、緊急指令が入力された緊急指令入力手段を備える端末装置、言い換えれば緊急事態の発生場所に設置されている端末装置、に対応する固有の第２音声情報が出力される。
【０００９】
なお、ここで言う第２音声情報は、これに対応する端末装置の設置場所に関する情報を含むのが、望ましい。このようにすれば、緊急事態の発生場所を直接的に知らせることができる。
【００１０】
また、第２音声情報送信手段は、それぞれの端末装置に設けられるのが、望ましい。このようにすれば、各端末装置とは別個に第２音声情報送信手段を設ける必要がなくなり、緊急放送システム全体の構成を簡素化し、かつ低コスト化することができる。
【００１１】
この場合、第２音声情報送信手段は、第２音声情報が記憶された音声情報記憶手段と、緊急指令入力手段に緊急指令が入力されたときに当該音声情報記憶手段から第２音声情報を読み出す読出手段と、この読出手段によって読み出された第２音声情報を他の端末装置の一部または全部に送信する送信実行手段と、を備えるものとしてもよい。なお、音声情報記憶手段に記憶されている第２音声情報は、任意に変更可能としてもよい。
【００１２】
さらに、第２音声情報送信手段は、第２音声情報の送信先となる他の端末装置を指定する送信先情報が記憶された送信先情報記憶手段を備え、当該送信先情報によって指定された端末装置に第２音声情報を送信するようにしてもよい。このようにすれば、それぞれの端末装置ごとに第２音声情報の送信先となる他の端末装置を指定することができ、緊急放送システム全体の自由度や柔軟性が向上する。なお、送信先情報記憶手段に記憶されている送信先情報もまた、任意に変更可能としてもよい。
【００１３】
本発明のうちの第２発明は、第１発明の緊急放送システムを構成する端末装置に関する発明である。即ち、ネットワークに複数接続され、当該ネットワークを介して互いに任意の第１音声情報を送受信すると共に、受信した第１音声情報を出力可能なスピーカを備えている。併せて、外部から緊急指令の入力を受け付ける緊急指令入力手段と、この緊急指令入力手段に緊急指令が入力されたとき、固有の第２音声情報を他の端末装置の一部または全部にネットワークを介して送信する第２音声情報送信手段と、を具備する。さらに、ネットワークを介して他の端末装置から第２音声情報が送信されてきたとき、これを受信してスピーカから出力させる第２音声情報受信手段をも、具備する。
【発明の効果】
【００１４】
上述したように、本発明によれば、緊急事態が発生して、いずれかの端末装置に設けられている緊急指令入力手段に緊急指令が入力されると、その端末装置に対応する固有の第２音声情報が他の端末装置のスピーカから出力される。従って、この第２音声情報の受け手は、緊急事態が発生している場所に設置されている端末装置固有の情報を知ることができるので、当該緊急事態に対して適切な処置を講ずることができる。
【発明を実施するための最良の形態】
【００１５】
本発明が適用されたインターカム（Intercommunication）システムと呼ばれる通話システム１０の一実施形態について、図１〜図６を参照して説明する。
【００１６】
図１に示すように、本実施形態に係る通話システム１０は、学校用のものであり、職員室や各教室等の適宜の場所に設置される複数台の電話機型のＩＰ端末装置１２，１２，…を備えている。これらのＩＰ端末装置１２，１２，…は、校内に敷設されたＬＡＮ１４に接続されており、この校内ＬＡＮ１４を介して互いに音声情報の送受信が可能であり、つまり一般の電話機と同様に通話が可能である。さらに、それぞれのＩＰ端末装置１２は、後述するスピーカ２０を備えており、このスピーカ２０を通して相手方からの音声情報を出力させることができ、つまりハンドセット２２（図２および図３参照）を置いたままの状態で通話を行うというハンズフリー通話が可能である。また、相手方のスピーカ２０を通して当該相手方を音声で呼び出すという呼び出し放送も可能である。
【００１７】
さらに、校内ＬＡＮ１４には、パーソナルコンピュータ（ＰＣ）１６も接続されている。このパーソナルコンピュータ１６は、専用のプログラムを実行することで、各ＩＰ端末装置１２，１２，…にそれぞれを特定するための個別のＩＰアドレス（プライベートアドレス）を設定したり、後述する緊急放送用の音声メッセージを設定したりするための設定手段として機能する。また、各ＩＰ端末装置１２，１２，…には、ＩＰアドレスとは別に、当該各ＩＰ端末装置１２，１２，…を操作する操作者が用いる個別の電話番号も、パーソナルコンピュータ１６によって設定される。なお、図１においては、職員室にパーソナルコンピュータ１６が設けられているが、言わば管理室として適当な場所があれば、これに限定されない。
【００１８】
また、校内ＬＡＮ１４には、放送室に設置されたマルチインタフェースユニット１８も接続されている。このマルチインタフェースユニット１８は、図示しない多数の外部接点出力端子を備えており、この外部接点出力端子には、図示しない校内放送装置等の外部装置が接続されている。そして、パーソナルコンピュータ１６や当該パーソナルコンピュータ１６によって設定された特定のＩＰ端末装置１２から、このマルチインタフェースユニット１８を介して、当該校内放送装置等の外部装置を制御することができる。
【００１９】
ところで、本実施形態に係る通話システム１０は、各ＩＰ端末装置１２，１２，…が設置されているいずれかの場所において、不審者が侵入する等の緊急事態が発生したときに、それ以外の場所に設置されているそれぞれのＩＰ端末装置１２のスピーカ２０を通して当該緊急事態が発生したことを音声で通報する、緊急放送システムとしても機能する。
【００２０】
これを実現するために、それぞれのＩＰ端末装置１２には、図２（ａ）に示すように、緊急指令入力手段としての緊急ボタン２４が設けられている。そして、任意の場所に設置されているＩＰ端末装置１２において、この緊急ボタン２４が押下されると、それ以外の場所に設置されているそれぞれのＩＰ端末装置１２のスピーカ２０を通して、例えば図２（ｂ）に示すように、“ピンポーン！”という予鈴に続いて、「○年○組で緊急事態発生！」といった緊急事態の発生場所の情報を含む緊急放送用の音声メッセージが出力される。従って、この音声メッセージの受け手は、緊急事態が発生したこと、およびその発生場所を直観的に認識することができ、例えば児童を安全に避難させる等の適切な処置を講ずることができる。
【００２１】
なお、音声メッセージは、それぞれのＩＰ端末装置１２ごとに任意に設定可能とされている。また、それぞれのＩＰ端末装置１２ごとに音声メッセージの放送先となるＩＰ端末装置１２を任意に設定することもできる。さらに、上述したマルチインタフェースユニット１８を介して、校内放送装置を起動させて、例えば全校内に緊急放送を流すこともできる。これらの設定は、パーソナルコンピュータ１６によって事前に行われる。
【００２２】
より具体的に説明すると、それぞれのＩＰ端末装置１２は、図３に示すように、ＣＰＵ（Central Processing Unit）２６を有しており、このＣＰＵ２６は、ネットワークインタフェース回路２８を介して、校内ＬＡＮ１４に接続されている。そして、平常の通話時には、ハンドセット２２内のマイクロホン３０に入力された音声が、当該マイクロホン３０によってアナログ音声信号に変換された後、図示しない増幅回路を経て、Ａ／Ｄ変換回路３２に入力され、ディジタル音声信号に変換される。さらに、このディジタル音声信号は、ＣＰＵ２６によって所定のＩＰパケットデータに変換された後、ネットワークインタフェース回路２８を介して、校内ＬＡＮ１４に送られ、ひいては相手方のＩＰ端末装置１２に送られる。一方、相手方のＩＰ端末装置１２から送られてきたＩＰパケットデータは、ネットワークインタフェース回路２８を介して、ＣＰＵ２６に取り込まれ、復号される。そして、このＣＰＵ２６によって復号されたディジタル音声信号は、Ｄ／Ａ変換回路３４によってアナログ音声信号に変換された後、上述とは別の図示しない増幅回路を経て、ハンドセット２２内の受話用スピーカ３６に入力される。これによって、受話用スピーカ３６から相手方の音声が出力され、いわゆるストリーミング再生される。また、このとき、上述したハンズフリー通話が有効化（ＯＮ）されている場合は、Ｄ／Ａ変換回路３４による変換後のアナログ音声信号は、図示しないさらに別の増幅回路を経て、スピーカ２０に入力され、この結果、当該スピーカ２０からも相手方の音声が出力される。
【００２３】
さらに、ＣＰＵ２６には、緊急ボタン２４を含む操作キー３８が接続されている。そして、この緊急ボタン２４が押下されると、ＣＰＵ２６は、緊急放送を流すためのモードに切り替わる。即ち、ＣＰＵ２６は、メモリ回路４０に記憶されているルーティングデータに従って、これから緊急放送を流そうとする放送先のＩＰ端末装置１２を指定するためのルーティング処理を行う。そして、このルーティング処理の後、ＣＰＵ２６は、メモリ回路４０に記憶されているメッセージデータを読み出し、これをＩＰパケットデータに変換して、当該ルーティング処理において放送先として指定したそれぞれのＩＰ端末装置１２に送信する。そして、操作キー３８に含まれる図示しない終了キーが押下されるか、若しくはメッセージデータを所定回数繰り返して送信し終えると、ＣＰＵ２６は、緊急放送を終了することを指示する指令を放送先のそれぞれのＩＰ端末装置１２に送信して、緊急放送のモードから、平常のモードに切り替わる。なお、ここで言うメッセージデータの繰り返し送信回数もまた、パーソナルコンピュータ１６によって任意に設定可能である。
【００２４】
これに対して、緊急放送先として指定されたそれぞれのＩＰ端末装置１２のＣＰＵ２６は、緊急放送を受信するモードに切り替わる。即ち、スピーカ２０を有効化すると共に、緊急放送元から送られてくるＩＰパケットデータを受信する準備を行う。そして、緊急放送元から当該ＩＰパケットデータを受信すると、これを順次復号して、Ｄ／Ａ変換回路３４に入力する。Ｄ／Ａ変換回路３４は、ＣＰＵ２６から順次入力されるディジタル音声信号をアナログ音声信号に変換して、スピーカ２０に入力する。これによって、スピーカ２０から、緊急放送用の音声メッセージが順次出力され、ストリーミング再生される。そして、緊急放送元から緊急放送終了指令を受信すると、ＣＰＵ２６は、平常のモードに切り替わる。
【００２５】
なお、ＣＰＵ２６には、接点入力インタフェース回路４２を介して、図示しない外部装置から接点信号が入力可能とされている。そして、例えば、この接点入力インタフェース回路４２を介して接点信号が入力されたときに、緊急ボタン２４が押下されたときと同様の動作を行うよう、ＣＰＵ２６を制御することもできる。
【００２６】
ＣＰＵ２６の一連の動作は、図４に示す如くメモリ回路４０に記憶されている制御プログラムに従う。また、メモリ回路４０には、上述したルーティングデータ（緊急放送先となるそれぞれのＩＰ端末装置１２のＩＰアドレス）およびメッセージデータ（予鈴を含む音声メッセージ）も記憶されている。さらに、自身を含む全てのＩＰ端末装置１２，１２，…のＩＰアドレスと電話番号との対応関係を表すアドレステーブルデータも、記憶されている。
【００２７】
ここで、図５を参照して、緊急ボタン２４が押下されたときのＣＰＵ２６の動作について、説明する。
【００２８】
緊急ボタン２４が押下されると、ＣＰＵ２６は、この図５のフローチャートで示される緊急放送送信タスクを実行し、まず、ステップＳ１において、今現在の状態をメモリ回路４０に記憶する。そして、ステップＳ３に進み、メモリ回路４０に記憶されているルーティングデータに従って、緊急放送用のルーティング処理を行う。このとき、緊急放送先のそれぞれのＩＰ端末装置１２に対して、これから緊急放送を開始することを指示する指令を送信する。
【００２９】
そして、ＣＰＵ２６は、ステップＳ５に進み、メッセージデータ（ＩＰパケットデータ）の送信を開始する。これにより、緊急放送先のそれぞれのＩＰ端末装置１２のスピーカ２０から、当該メッセージデータに従う予鈴および音声メッセージが出力され、つまり緊急放送が開始される。そして、ＣＰＵ２６は、ステップＳ７に進み、緊急放送を終了する条件が満足されたか否か、詳しくは上述した終了キーが押下されたか否か、若しくはメッセージデータを所定回数繰り返して送信し終えたか否か、を判定する。
【００３０】
このステップＳ７において、緊急放送を終了する条件が満足されたと判定すると、ＣＰＵ２６は、ステップＳ９に進み、緊急放送先のそれぞれのＩＰ端末装置１２に対するメッセージデータの送信を終了する。そして、ステップＳ１１に進み、上述のステップＳ１における記憶内容に基づいて、緊急放送前の状態に復帰する。併せて、緊急放送先のそれぞれのＩＰ端末装置１２に対して、緊急放送を終了することを指示する指令を送信し、これをもって、この緊急放送送信タスクを終了する。
【００３１】
一方、緊急放送先のそれぞれのＩＰ端末装置１２のＣＰＵ２６は、図６のフローチャートで示される緊急放送受信タスクを実行する。
【００３２】
即ち、緊急放送元のＩＰ端末装置１２から緊急放送開始指令を受信すると、ＣＰＵ２６は、ステップＳ２１に進み、今現在の状態をメモリ回路４０に記憶する。そして、ステップＳ２３に進み、緊急放送を開始するための準備を行い、詳しくはスピーカ２０を有効化すると共に、緊急放送元のＩＰ端末装置１２から送られてくるメッセージデータを受信するモードに切り替わる。
【００３３】
さらに、ＣＰＵ２６は、ステップＳ２５に進み、緊急放送元のＩＰ端末装置１２から受信したメッセージデータに従って、緊急放送を開始する。これにより、当該メッセージデータに従う予鈴および音声メッセージが、スピーカ２０からストリーミング再生される。そして、ＣＰＵ２６は、ステップＳ２７に進み、緊急放送先のＩＰ端末装置１２から緊急放送終了指令が送られてくるのを待つ。
【００３４】
このステップＳ２７において、緊急放送終了指令を受信すると、ＣＰＵ２６は、ステップＳ２９に進み、緊急放送を終了する。そして、ステップＳ３１に進み、上述のステップＳ２１における記憶内容に基づいて、緊急放送前の状態に復帰し、この緊急放送受信タスクを終了する。
【００３５】
以上のように、本実施形態に係る通話システム１０によれば、緊急事態が発生し、その場所に設置されているＩＰ端末装置１２の緊急ボタン２４が押下されると、その設置場所の情報を含む緊急放送用の音声メッセージが、その放送先として指定されたそれぞれのＩＰ端末装置１２のスピーカ２０から出力される。従って、この音声メッセージの受け手は、緊急事態が発生したこと、およびその発生場所を直観的に認識することができ、例えば児童を安全に避難指せる等の適切な処置を講ずることができる。
【００３６】
また、本実施形態によれば、上述したマルチインタフェースユニット１８を介して、校内放送装置を起動させて、全校内に緊急放送を流すこともできる。しかし、このような全校放送がなくとも、上述の如く別のルートで、適宜のＩＰ端末装置１２のスピーカ２０から緊急放送を流すことができる。従って、緊急放送を行うのに校内放送連携ボックスを必要とする上述した従来技術に比べて、通話システム１０全体の構成を簡素化し、かつ低コスト化することができる。なお、マルチインタフェースユニット１８に接続される上述した外部装置として、例えば監視カメラや表示灯等を設けると共に、緊急放送時にこれらを起動させれば、より確実な防犯対策となる。また、校門（門扉）を電動化して、これをも連動させれば、より効果的である。
【００３７】
さらに、本実施形態によれば、それぞれのＩＰ端末装置１２ごとに、緊急放送先を適宜に設定することができる。従って、緊急放送先が全校放送に限定される従来技術に比べて、より柔軟かつ自由に通話システム１０を構築することができる。
【００３８】
なお、設定手段としてのパーソナルコンピュータ１６については、設定完了後、ＬＡＮ１４から取り外してもよい。また、このパーソナルコンピュータ１６に代えて、設定手段として専用の装置を用いてもよい。
【００３９】
そして、パーソナルコンピュータ１６に全てのＩＰ端末装置１２，１２，…についてのメッセージデータとルーティングデータとを記憶させておき、いずれかのＩＰ端末装置１２の緊急ボタン２４が押下されたときに、これに対応するルーティングデータに基づいて緊急放送用のルーティング処理を行うと共に、対応するメッセージデータを緊急放送先のそれぞれのＩＰ端末装置１２に送信することで、緊急放送を流すようにしてもよい。
【００４０】
また、それぞれのＩＰ端末装置１２のメモリ回路４０に全てのＩＰ端末装置１２，１２，…についてのメッセージデータを記憶させておき、いずれかのＩＰ端末装置１２の緊急ボタン２４が押下されたときに、緊急放送先のそれぞれのＩＰ端末装置１２において対応するメッセージデータをメモリ回路４０から読み出して、緊急放送を流すようにしてもよい。ただし、本実施形態のように、それぞれのＩＰ端末装置１２ごとに、それのみのルーティングデータおよびメッセージデータをメモリ回路４０に記憶させた方が、当該各データを記憶させる際の手間およびメモリ回路４０の容量等の観点から、好ましい。
【００４１】
さらに、本実施形態においては、学校用の通話システム１０に本発明を適用する場合について説明したが、これに限らない。例えば、企業や公共の施設等の学校以外に設けられるシステムにも、本発明を適用できることは、言うまでもない。
【００４２】
そして、ＬＡＮ１４に限らず、例えば複数のＬＡＮが相互に接続されたＷＡＮ（Wide Area Network）や、ＩＰ−ＶＰＮ（Virtual Private Network）等の広域ネットワークを利用した通話システムにも、本発明を適用することができる。また、近年注目されているＰＬＣ（Power
Line Communications）を採用するシステムにも、本発明を適用できる。さらに、各ＩＰ端末装置１２，１２，…間の接続は、有線によるものではなく、赤外線や電波等を利用した無線によるものであってもよい。
【００４３】
また、緊急ボタン２４の押下に代えて、例えば操作キー３８によって所定の操作が成されたときに、緊急放送が行われるようにしてもよい。このようにすれば、緊急ボタン２４を備えていない既存のＩＰ端末装置において、制御プログラムを含むソフトウェアを交換するだけで、本実施形態と同様のシステムを構築することができる。併せて、緊急ボタン２４の誤操作や児童らによるいたずらを防止することもできる。
【００４４】
さらに、本実施形態では、緊急ボタン２４をＩＰ端末装置１２に設けたが、ＩＰ端末装置１２とは別個に外付けとしてもよい。この場合、上述した接点入力インタフェース回路４２に付属する図示しない接点入力端子に、この外付けの緊急ボタンを接続すればよい。
【００４５】
そして、接点入力端子（接点入力インタフェース回路４２）だけでなく、接点出力端子をも、それぞれのＩＰ端末装置１２に設けてもよい。このようにすれば、それぞれのＩＰ端末装置１２ごとに、上述したマルチインタフェースユニット１８と同様に、監視カメラや表示灯等の外部装置を制御することができる。
【００４６】
また、ＩＰ端末装置１２として、ディスプレイを備えたものを採用すると共に、緊急放送が行われたときに、音声メッセージと同様の内容のメッセージを当該ディスプレイに表示させてもよい。
【図面の簡単な説明】
【００４７】
【図１】本発明が適用された通話システムの一実施形態の全体構成を示す図である。
【図２】同実施形態において緊急事態が発生したときの状態を示す図解図である。
【図３】同実施形態における端末装置の詳細な構成を示すブロック図である。
【図４】同端末装置のメモリ回路内の構成を概念的に示す図解図である。
【図５】同端末装置のＣＰＵが実行する緊急放送送信タスクの内容を示すフローチャートである。
【図６】同ＣＰＵが実行する図５とは別の緊急放送受信タスクの内容を示すフローチャートである。
【符号の説明】
【００４８】
１０  通話システム
１２  ＩＰ端末装置
１４  校内ＬＡＮ
２０  スピーカ
２４  緊急ボタン
２６  ＣＰＵ
４０  メモリ回路
【図１】
0004997001.tif 000002
【図２】
0004997001.tif 000003
【図３】
0004997001.tif 000004
【図４】
0004997001.tif 000005
【図５】
0004997001.tif 000006
【図６】
0004997001.tif 000007